(57)【要約】【課題】配信サーバが不要であること。【解決手段】自動販売機１１〜１６は、これら自動販売機の全体で保持する情報財の一覧を網羅した共通情報財目録２と、顧客の要求に係る情報である情報要求、情報財及び共通情報財目録２を構成する情報財情報を他の自動販売機に送受信するための有線又は無線のネットワーク接続装置と、共通情報財目録２を更新・管理する制御装置と、を備え、制御装置は、ネットワーク接続装置が受信した情報財情報を基に、前記共通情報財目録を更新し、前記情報財情報を他の自動販売機に転送し、共通情報財目録２の中から、自動販売機自身が保持していない情報財を要求された場合は、隣接した他の自動販売機にその要求に係る情報である情報要求１００を転送し、ネットワーク接続装置は、情報要求１００に基づいて他の自動販売機から転送されてきた情報財を受信することを特徴とする自動販売機システム。【選択図】図１
2010204817.tif 000002
【特許請求の範囲】
【請求項１】
ネットワークを介して相互に接続された複数の自動販売機を有し、前記複数の自動販売機は、情報端末に情報財を販売する自動販売機システムにおいて、
前記複数の自動販売機は、
複数の前記情報財を記憶する記憶装置と、
前記複数の自動販売機の全体で保持する情報財の一覧を網羅した共通情報財目録と、
前記共通情報財目録に登録してある販売可能な情報財及びその対価を表示する表示装置と、
前記情報財の対価を徴収する課金装置と、
前記記憶装置へ前記情報財を格納するための入力装置と、
前記情報端末に前記情報財を転送する有線又は無線の情報端末接続装置と、
顧客の要求に係る情報である情報要求、前記情報財及び前記共通情報財目録を構成する情報財情報を他の自動販売機に送受信するための有線又は無線のネットワーク接続装置と、
前記共通情報財目録を更新・管理し、前記記憶装置、前記表示装置、前記課金装置、前記入力装置、前記情報端末接続装置及び前記ネットワーク接続装置を制御する制御装置と、
を備え、
前記制御装置は、前記ネットワーク接続装置が受信した前記情報財情報を基に、前記共通情報財目録を更新し、前記情報財情報を前記ネットワーク接続装置によって他の自動販売機に転送し、かつ前記共通情報財目録の中から、前記自動販売機自身が保持していない情報財を要求された場合は、前記ネットワーク接続装置により、隣接した他の自動販売機にその要求に係る情報である情報要求を転送し、
前記ネットワーク接続装置は、該情報要求に基づいて前記他の自動販売機から転送されてきた情報財を受信することを特徴とする自動販売機システム。
【請求項２】
前記制御装置は、前記他の自動販売機から獲得し、販売した情報財のコピーを前記記憶装置に格納し、事後、該情報財の購入の要求又は他の自動販売機から転送の要求があったときに、該情報財のコピーを提供することを特徴とする請求項１に記載の自動販売機システム。
【請求項３】
前記制御装置は、前記記憶装置に記憶させる前記情報財のコピーの数、あるいはデータ量に制限を設け、該制限を超えそうな場合には、最も古いコピーを削除することを特徴とする請求項２に記載の自動販売機システム。
【請求項４】
前記入力装置は、メモリーカード及びＤＶＤである記憶媒体の読取装置であって、
前記自動販売機は、前記入力装置を複数台保持し、
前記制御装置は、前記記憶媒体を前記読取装置に挿入している間のみ前記記憶媒体内の情報財の販売を可能とするように制御することを特徴とする請求項１乃至３のいずれか１項に記載の自動販売機システム。
【請求項５】
前記自動販売機の少なくとも１台を、販売は行わず情報財の配信のみを行う情報配信機に代え、
前記情報配信装置は、
複数の情報財を記憶する記憶装置と、
前記記憶装置へ前記情報財を格納するための入力装置と、
前記情報財を他の自動販売機に送受信するための有線又は無線のネットワーク接続装置と、
前記記憶装置、前記入力装置及び前記ネットワーク接続装置を制御する制御装置と、
を備えることを特徴とする請求項１乃至４のいずれか１項に記載の自動販売機システム。
【請求項６】
前記情報財は、文字情報、静止画像、動画又は音声であることを特徴とする請求項１乃至５のいずれか１項に記載の自動販売機システム。
【請求項７】
ネットワークを介して相互に接続された複数の自動販売機で情報端末に情報財を販売する方法において、
前記自動販売機に、
前記情報財を格納するための入力手順と、
複数の前記情報財を記憶する記憶手順と、
前記複数の自動販売機の全体で保持する情報財の一覧を網羅した共通情報財目録を作成する手順と、
前記共通情報財目録に登録してある販売可能な情報財及びその対価を表示する手順と、
前記情報財の対価を徴収する課金手順と、  
前記情報端末に前記情報財を転送する有線又は無線の情報端末接続手順と、
顧客の要求に係る情報である情報要求、前記情報財及び前記共通情報財目録を構成する情報財情報を他の自動販売機に送受信するための有線又は無線のネットワーク接続手順と、
前記共通情報財目録を更新・管理し、前記記憶手順、前記表示手順、前記課金手順、前記入力手順、前記情報端末接続手順及び前記ネットワーク接続手順を制御する制御手順と、
を備え、
前記制御手順は、前記ネットワーク接続手順で受信した前記情報財情報を基に、前記共通情報財目録を更新し、前記情報財情報を前記ネットワーク接続手順によって他の自動販売機に転送し、かつ前記共通情報財目録の中から、前記自動販売機自身が保持していない情報財を要求された場合は、前記ネットワーク接続手順により、隣接した他の自動販売機にその要求に係る情報である情報要求を転送し、
前記ネットワーク接続手順は、該情報要求に基づいて前記他の自動販売機から転送されてきた情報財を受信することを特徴とする情報財を販売する方法。
【請求項８】
前記制御手順は、前記他の自動販売機から獲得し、販売した情報財のコピーを前記記憶手順で格納し、事後、該情報財の購入の要求又は他の自動販売機から転送の要求があったときに、該情報財のコピーを提供することを特徴とする請求項７に記載の情報財を販売する方法。
【請求項９】
前記制御手順は、前記記憶手順で記憶させる前記情報財のコピーの数、あるいはデータ量に制限を設け、該制限を超えそうな場合には、最も古いコピーを削除することを特徴とする請求項８に記載の情報財を販売する方法。
【請求項１０】
前記入力手順は、メモリーカード及びＤＶＤである記憶媒体からの読取手順であって、
前記制御手順は、前記記憶媒体を前記読取手順におかれている間のみ前記記憶媒体内の情報財の販売を可能とするように制御することを特徴とする請求項７乃至９のいずれか１項に記載の情報財を販売する方法。
【請求項１１】
前記自動販売機の少なくとも１台を、販売は行わず情報財の配信のみを行う情報配信機に代え、
前記情報配信機に、
前記情報財を格納するための入力手順と、
複数の前記情報財を記憶する記憶手順と、
前記情報財を他の自動販売機に送受信するための有線又は無線のネットワーク接続手順と、
前記記憶手順、前記入力手順及び前記ネットワーク接続手順を制御する制御手順と、
を備えることを特徴とする請求項７乃至１０のいずれか１項に記載の情報財を販売する方法。
【請求項１２】
前記情報財は、文字情報、静止画像、動画又は音声であることを特徴とする請求項７乃至１１のいずれか１項に記載の情報財を販売する方法。
【請求項１３】
ネットワークを介して相互に接続された複数の自動販売機で情報端末に情報財を販売するプログラムにおいて、
前記情報財を格納するための入力処理と、
複数の前記情報財を記憶する記憶処理と、
前記複数の自動販売機の全体で保持する情報財の一覧を網羅した共通情報財目録を作成する処理と、
前記共通情報財目録に登録してある販売可能な情報財及びその対価を表示する処理と、
前記情報財の対価を徴収する課金処理と、  
前記情報端末に前記情報財を転送する有線又は無線の情報端末接続処理と、
顧客の要求に係る情報である情報要求、前記情報財及び前記共通情報財目録を構成する情報財情報を他の自動販売機に送受信するための有線又は無線のネットワーク接続処理と、
前記共通情報財目録を更新・管理し、前記記憶処理、前記表示処理、前記課金処理、前記入力処理、前記情報端末接続処理及び前記ネットワーク接続処理を制御する制御処理と、
を前記自動販売機に実行させ、
前記制御処理は、前記ネットワーク接続処理で受信した前記情報財情報を基に、前記共通情報財目録を更新し、前記情報財情報を前記ネットワーク接続処理によって他の自動販売機に転送し、かつ前記共通情報財目録の中から、前記自動販売機自身が保持していない情報財を要求された場合は、前記ネットワーク接続処理により、隣接した他の自動販売機にその要求に係る情報である情報要求を転送し、
前記ネットワーク接続処理は、該情報要求に基づいて前記他の自動販売機から転送されてきた情報財を受信することを特徴とする情報財を販売するプログラム。
【請求項１４】
前記制御処理は、前記他の自動販売機から獲得し、販売した情報財のコピーを前記記憶処理で格納し、事後、該情報財の購入の要求又は他の自動販売機から転送の要求があったときに、該情報財のコピーを提供することを特徴とする請求項１３に記載の情報財を販売するプログラム。
【請求項１５】
前記制御処理は、前記記憶処理で記憶させる前記情報財のコピーの数、あるいはデータ量に制限を設け、該制限を超えそうな場合には、最も古いコピーを削除することを特徴とする請求項１４に記載の情報財を販売するプログラム。
【請求項１６】
前記入力処理は、メモリーカード及びＤＶＤである記憶媒体からの読取処理であって、
前記制御処理は、前記記憶媒体を前記読取処理におかれている間のみ前記記憶媒体内の情報財の販売を可能とするように制御することを特徴とする請求項１３乃至１５のいずれか１項に記載の情報財を販売するプログラム。
【請求項１７】
前記自動販売機の少なくとも１台を、販売は行わず情報財の配信のみを行う情報配信機に代え、
前記情報財を格納するための入力処理と、
複数の前記情報財を記憶する記憶処理と、
前記情報財を他の自動販売機に送受信するための有線又は無線のネットワーク接続処理と、
前記記憶処理、前記入力処理及び前記ネットワーク接続処理を制御する制御処理と、
を前記情報配信機に実行させることを特徴とする請求項１３乃至１６のいずれか１項に記載の情報財を販売するプログラム。
【請求項１８】
前記情報財は、文字情報、静止画像、動画又は音声であることを特徴とする請求項１３乃至１７のいずれか１項に記載の情報財を販売するプログラム。
【発明の詳細な説明】
【技術分野】
【０００１】
本発明は、携帯情報機器への情報財を販売する情報財自動販売機システム、その方法及びそのプログラムに関する。
【背景技術】
【０００２】
携帯電話等の携帯情報端末が日常的に使用されるようになった。それら携帯情報端末の利用者は、ニュース、天気予報等の即時性が求められる情報を携帯電話キャリアやインターネット等を介して取得している。
【０００３】
近年はさらに、小説、コミック等、従来刊行物として提供されていたような、比較的容量の大きな情報も携帯情報端末で利用したいという需要がある。
【０００４】
しかしながら、容量の大きな情報を携帯キャリア等のサービスから得る場合、通常、データ量に応じたパケット料金が発生し、利用者が情報に対して支払う対価は高額となり、利用を妨げている。このため、特許文献１では、携帯情報機器への情報財を販売するシステムが開示されている。
【先行技術文献】
【特許文献】
【０００５】
【特許文献１】特開２００８−１４０２１５号公報
【発明の概要】
【発明が解決しようとする課題】
【０００６】
しかしながら、特許文献１に係る自動販売機は、販売する情報財を、通信ネットワークを通じて情報財配信用のサーバから獲得している。したがって、情報財配信用のサーバに負荷がかかり、又、情報財配信用サーバの故障、情報財配信用サーバへのネットワークの異常等の理由により、情報財配信サーバとの通信ができなくなると、自動販売機は販売を停止しなくてはならなくなってしまう。
【０００７】
本発明は上記に鑑みてなされたもので、携帯情報端末に対する、情報財の自動販売システムにおいて、情報財配信サーバが不要な情報財自動販売機システム、その方法及びそのプログラムを提供することを目的とする。
【課題を解決するための手段】
【０００８】
上述の問題を解決するため、本発明に係る情報財自動販売機システムは、ネットワークを介して相互に接続された複数の自動販売機を有し、前記複数の自動販売機は、情報端末に情報財を販売する自動販売機システムにおいて、前記複数の自動販売機は、複数の前記情報財を記憶する記憶装置と、前記複数の自動販売機の全体で保持する情報財の一覧を網羅した共通情報財目録と、前記共通情報財目録に登録してある販売可能な情報財及びその対価を表示する表示装置と、前記情報財の対価を徴収する課金装置と、前記記憶装置へ前記情報財を格納するための入力装置と、前記情報端末に前記情報財を転送する有線又は無線の情報端末接続装置と、顧客の要求に係る情報である情報要求、前記情報財及び前記共通情報財目録を構成する情報財情報を他の自動販売機に送受信するための有線又は無線のネットワーク接続装置と、前記共通情報財目録を更新・管理し、前記記憶装置、前記表示装置、前記課金装置、前記入力装置、前記情報端末接続装置及び前記ネットワーク接続装置を制御する制御装置と、を備え、前記制御装置は、前記ネットワーク接続装置が受信した前記情報財情報を基に、前記共通情報財目録を更新し、前記情報財情報を前記ネットワーク接続装置によって他の自動販売機に転送し、かつ前記共通情報財目録の中から、前記自動販売機自身が保持していない情報財を要求された場合は、前記ネットワーク接続装置により、隣接した他の自動販売機にその要求に係る情報である情報要求を転送し、前記ネットワーク接続装置は、該情報要求に基づいて前記他の自動販売機から転送されてきた情報財を受信することを特徴とする。
【０００９】
上述の問題を解決するため、本発明に係る情報財自動販売機の方法は、ネットワークを介して相互に接続された複数の自動販売機で情報端末に情報財を販売する方法において、  前記自動販売機に、前記情報財を格納するための入力手順と、複数の前記情報財を記憶する記憶手順と、前記複数の自動販売機の全体で保持する情報財の一覧を網羅した共通情報財目録を作成する手順と、前記共通情報財目録に登録してある販売可能な情報財及びその対価を表示する手順と、前記情報財の対価を徴収する課金手順と、前記情報端末に前記情報財を転送する有線又は無線の情報端末接続手順と、顧客の要求に係る情報である情報要求、前記情報財及び前記共通情報財目録を構成する情報財情報を他の自動販売機に送受信するための有線又は無線のネットワーク接続手順と、前記共通情報財目録を更新・管理し、前記記憶手順、前記表示手順、前記課金手順、前記入力手順、前記情報端末接続手順及び前記ネットワーク接続手順を制御する制御手順と、を備え、前記制御手順は、前記ネットワーク接続手順で受信した前記情報財情報を基に、前記共通情報財目録を更新し、前記情報財情報を前記ネットワーク接続手順によって他の自動販売機に転送し、かつ前記共通情報財目録の中から、前記自動販売機自身が保持していない情報財を要求された場合は、前記ネットワーク接続手順により、隣接した他の自動販売機にその要求に係る情報である情報要求を転送し、前記ネットワーク接続手順は、該情報要求に基づいて前記他の自動販売機から転送されてきた情報財を受信することを特徴とする。
【００１０】
上述の問題を解決するため、本発明に係る情報財自動販売機のプログラムは、ネットワークを介して相互に接続された複数の自動販売機で情報端末に情報財を販売するプログラムにおいて、前記情報財を格納するための入力処理と、複数の前記情報財を記憶する記憶処理と、前記複数の自動販売機の全体で保持する情報財の一覧を網羅した共通情報財目録を作成する処理と、前記共通情報財目録に登録してある販売可能な情報財及びその対価を表示する処理と、前記情報財の対価を徴収する課金処理と、前記情報端末に前記情報財を転送する有線又は無線の情報端末接続処理と、顧客の要求に係る情報である情報要求、前記情報財及び前記共通情報財目録を構成する情報財情報を他の自動販売機に送受信するための有線又は無線のネットワーク接続処理と、前記共通情報財目録を更新・管理し、前記記憶処理、前記表示処理、前記課金処理、前記入力処理、前記情報端末接続処理及び前記ネットワーク接続処理を制御する制御処理と、を前記自動販売機に実行させ、前記制御処理は、前記ネットワーク接続処理で受信した前記情報財情報を基に、前記共通情報財目録を更新し、前記情報財情報を前記ネットワーク接続処理によって他の自動販売機に転送し、かつ前記共通情報財目録の中から、前記自動販売機自身が保持していない情報財を要求された場合は、前記ネットワーク接続処理により、隣接した他の自動販売機にその要求に係る情報である情報要求を転送し、前記ネットワーク接続処理は、該情報要求に基づいて前記他の自動販売機から転送されてきた情報財を受信することを特徴とする。
【発明の効果】
【００１１】
本発明によれば、情報財を、ネットワークに参加している自動販売機で共有することにより、情報財配信用のサーバが不要となり、又、各自動販売機に到達するネットワーク上の経路を複数用意しておくことにより、ネットワークの故障により、ある通信路が使用不可能となった場合でも稼働できる情報財自動販売機システム、その方法及びそのプログラムを提供することができる。
【図面の簡単な説明】
【００１２】
【図１】本発明の第１の実施の形態に係る自動販売機システムの構成を示す図である。
【図２】本発明の第１の実施の形態に係る自動販売機の動作を示すフローチャートである。
【図３】本発明の第２の実施の形態に係る自動販売機システムの構成を示す図である。
【発明を実施するための形態】
【００１３】
［第１の実施の形態］
以下、図面を参照しながら、本発明に係る第１の実施の形態について説明する。ここで図１は、本発明の第１の実施の形態に係る自動販売機システムの構成を示す図である。
【００１４】
この図１において、本発明の第１の実施の形態に係る自動販売機システム１は、ネットワークを介して相互に接続された複数の自動販売機１１〜１６を有する。
【００１５】
自動販売機１１〜１６は、それぞれ、少なくとも、複数の情報財を記憶する記憶装置と、自動販売機１１〜１６の全体で保持する情報財の一覧を網羅した共通情報財目録２と、自動販売機１１〜１６の維持操作および共通情報財目録に登録してある販売可能な情報財及びその対価を表示し、購入者の操作入力を受け付ける表示装置と、情報財の対価を徴収する課金装置と、情報財供給者が記憶装置へ情報財を格納するための入力装置と、顧客が所有する情報端末に情報財を転送するための有線又は無線の情報端末接続装置と、顧客の要求に係る情報である情報要求、情報財及び共通情報財目録２を構成する情報財情報を他の自動販売機に送受信するための有線又は無線のネットワーク接続装置と、共通情報財目録２を更新・管理し、記憶装置、表示装置、課金装置、入力装置、情報端末接続装置及びネットワーク接続装置を制御する制御装置と、を備える。
【００１６】
なお、情報財とは、文字情報である小説、静止画像であるコミック等、従来刊行物として提供されていたようなもの、又は動画や音声で、比較的容量の大きな情報をいう。
【００１７】
ここで、入力装置は、メモリーカードやＤＶＤ等の記憶媒体の読取装置等が考えられる。
【００１８】
又、自動販売機１１〜１６は、過去に他の自動販売機から獲得し、販売した情報財のコピーを自身の記憶装置にも格納し、事後、この情報財の購入の要求又は他の自動販売機から転送の要求があったときに、この情報財のコピーを提供するようにしてもよい。
【００１９】
この場合、過去に他の自動販売機から獲得し、販売した情報財のコピーを自身の記憶装置に格納する際に、コピーを記憶する情報財の数、あるいはデータ量に制限を設け、制限を超えそうな場合には、最も古いコピーを削除する等のコピー情報財整理機能を制御装置によって制御してもよい。
【００２０】
又は、自動販売機１１〜１６は、入力装置としてのメモリーカードやＤＶＤ等の記憶媒体の読取装置を複数台保持し、記憶媒体を読取装置に挿入している間のみ記憶媒体内の情報財の販売を可能とし、記憶媒体を読取装置から除去すると直ちに該当情報財の販売を停止することのできるように制御装置によって制御してもよい。
【００２１】
［第１の実施の形態の動作］
以下、図面を参照しながら、本発明に係る第１の実施の形態の動作について説明する。ここで、図２は、本発明に係る第１の実施の形態の自動販売機の動作を示すフローチャートである。
【００２２】
この図２において、本発明の第１の実施の形態に係る自動販売機システムの自動販売機は、顧客から情報財の購入要求が来たとき（ステップ２０１）、その自動販売機自身の記憶装置に顧客が要求した情報財があるか否かを判断する（ステップ２０２）。
【００２３】
自身の記憶装置に顧客が要求した情報財が存する場合（ステップ２０２：ＹＥＳ）、手順をステップ２０４に移行させる。
【００２４】
自身の記憶装置に顧客が要求した情報財が存しない場合（ステップ２０２：ＮＯ）、近隣の自動販売機にその要求を転送する（ステップ２０３）。
【００２５】
転送後（ステップ２０４）、顧客には情報財の代金を要求し（ステップ２０５）、要求した以上の金額が投入されたか否かを判断する（ステップ２０６）。要求した金額に満たない場合（ステップ２０６：ＮＯ）、手順をステップ２０５に戻し、再度、代金を要求する。
【００２６】
一方、要求した以上の代金が投入された場合（ステップ２０６：ＹＥＳ）、顧客に情報端末を接続するように要求し（ステップ２０７）、接続後は、情報端末が正常に接続されたか否かが判断される（ステップ２０８）。
【００２７】
正常に接続されていない場合（ステップ２０８：ＮＯ）、手順をステップ２０７に戻し、再度情報端末を接続するように要求する。
【００２８】
情報端末が正常に接続された場合（ステップ２０８：ＹＥＳ）、情報財を接続されている情報端末に転送し（ステップ２０９）、販売は完了する（ステップ２１０）。
【００２９】
以上の動作を図１にあてはめると、図１における自動販売機１１〜１６の６台の自動販売機は、定期的又は新しい情報財を記憶装置内に追加した際に、ネットワーク上で隣接した自動販売機に対して、自身がその記憶装置内に有する情報財の種類及び数量並びにその自動販売機識別する識別子を含む情報財情報を送信すると同時に、自身が持つ共通情報財目録２を更新する。
【００３０】
一方で、他の自動販売機から情報財情報をネットワーク接続装置によって受信した自動販売機は、受信した情報財情報を基に、自身の制御装置で自身が持つ共通情報財目録２を更新し、かつこの情報財情報をネットワーク接続装置によって他の自動販売機、例えば隣接する自動販売機に転送する。これを繰り返すことで、ネットワークに参加する全ての自動販売機で同じ内容を持つ共通情報財目録２が構成できる。
【００３１】
これによって、自動販売機１１は、共通情報財目録２に登録してある情報財を全て販売することができる。図１で自動販売機１１が有するのは、情報財１１ａと情報財１１ｂのみだが、これら以外の情報財を顧客が要求した場合でも、共通情報財目録２に登録してあるものであれば、自動販売機１１は、ネットワークを介して要求された情報財を他の自動販売機から取得することができるからである。
【００３２】
自動販売機１１の制御装置は、共通情報財目録２の中から、自身が保持している情報財１１ａを要求された場合には、自身が保持している情報財１１ａを顧客が所有する情報端末４に送信することで販売を完了する。
【００３３】
自動販売機１１の制御装置は、共通情報財目録２の中から、自身が保持していない情報財１５ａが要求された場合は、ネットワーク接続装置により、隣接した自動販売機１２及び１３にその要求に係る情報である情報要求１００を転送することができる。
【００３４】
図１では、自動販売機１２及び１３も、情報財１５ａを保持していないため、自動販売機１２及び１３はさらに情報要求１００を転送し、情報要求１００が情報財１５ａを保持する自動販売機１５に到達するまで転送を繰り返す。
【００３５】
自動販売機１５は情報要求１００を受信すると、情報財１５ａを、情報要求１００の発信元である自動販売機１１に送信する。
【００３６】
自動販売機１１は、ネットワーク接続装置で自動販売機１５から情報財１５ａを受信すると、顧客が所有する情報端末４に情報財１５ａを送信することで販売を完了する。
【００３７】
［第２の実施の形態］
図３は、本発明の第２の実施の形態に係る自動販売機システムの構成を示す図である。この図３において、本発明の第１の実施の形態に係る自動販売機システム５は、ネットワークを介して相互に接続された複数の自動販売機１１、１３及び１５と、販売は行わず情報財の配信のみを行う情報配信機５１及び５２を有する。
【００３８】
この情報配信機５１及び５２は、複数の情報財を記憶する記憶装置と、記憶装置へ情報財を格納するための入力装置と、情報財を他の自動販売機に送受信するための有線又は無線のネットワーク接続装置と、記憶装置、入力装置及びネットワーク接続装置を制御する制御装置と、を備える。
【００３９】
ここで、入力装置は、メモリーカードやＤＶＤ等の記憶媒体の読取装置等が考えられる。
【産業上の利用可能性】
【００４０】
本発明は、情報財を販売するために、市場各所に固定的に設置される自動販売機として利用できる。又、課金機能を省略し、公共サービスのための情報財を配布する装置として利用できる。
【符号の説明】
【００４１】
１  自動販売機システム
２  共通情報財目録
４  情報端末
５  自動販売機システム
１１、１２、１３、１４、１５、１６  自動販売機
１１ａ、１１ｂ、１５ａ、１５ｂ  情報財
５１、５２  情報財配信機
５１ａ、５１ｂ  情報財
１００  情報要求
【図１】
2010204817.tif 000003
【図２】
2010204817.tif 000004
【図３】
2010204817.tif 000005